(57)【要約】【課題】  取り替え作業に伴うユーザの負担が少なく、ユーザ自らが手軽に取り替え可能なテンプルを具備する眼鏡フレームを提供する。【解決手段】  眼鏡フレーム１０〜１２は、軸部材２ｂを具備するテンプル２と、一端部３ａが軸部材２ａを回動自在に軸支し、他端部３ｂが前枠１に取り付けられたコマ部材３ｘ，３ｙとを備え、コマ部材３ｘ，３ｙの一端部３ａには、第１要素３１と第２要素３２とが設けられ、該要素３１，３２は、軸部材２ｂの外径に略等しい径で且つ互いに同芯の開口部３３をそれぞれ備え、要素３１，３２のうち少なくとも一方は、開口部３３に通じ且つ周方向Ｚに沿う方向におけるテンプル２の厚みに略等しい寸法の切り込み部３４を備えている。【選択図】  図３
2006058762.tif 000002
【特許請求の範囲】
【請求項１】
基端部に円柱状の軸部材を具備するテンプルと、
一端部が前記軸部材を回動自在に軸支し、他端部が前枠に取り付けられたコマ部材とを備え、
前記コマ部材の前記一端部には、前記軸部材の軸線方向一方側を支持する第１要素と他方側を支持する第２要素とが設けられ、
前記第１要素及び前記第２要素は、前記軸部材の外径に略等しい径で且つ互いに同芯の開口部をそれぞれ備え、
前記第１要素及び前記第２要素のうち少なくとも一方は、前記開口部に通じ且つ前記開口部の周方向に沿う方向における前記テンプルの厚みに略等しい寸法の切り込み部を備えていることを特徴とする眼鏡フレーム。
【発明の詳細な説明】
【技術分野】
【０００１】
本発明は、眼鏡フレームに関する。
【背景技術】
【０００２】
眼鏡フレームは、前枠、テンプル、丁番等のフレーム部材が連結されて構成されている。この眼鏡フレームを構成する部材の中でも、前枠の両端に開閉自在に設けられ、ユーザの開閉動作等により頻繁に外力を受ける一対のテンプルは、特に軽量化とデザイン性を優先させた近年の極細タイプのテンプルの場合、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾されたテンプルの中からＴＰＯ（時（Time）、所（Place）、場合（Occasion））に併せて選択された好みのテンプルに取り替えることも考えられる。
【０００３】
しかしながら、丁番構造のネジによりテンプルを開閉するような従来の一般的な眼鏡フレームにおいてテンプルを取り替えるには、該丁番構造のネジを眼鏡フレーム用のドライバー等の工具を用いてテンプルが外れ得る位置まで緩め、該テンプルを取り替えた後、再びネジを締め直すといった作業が必要であり、手間がかかる上、ネジを締め直す際のネジの締め付け具合などによってはネジに緩みが生じることがあり、微妙な調整が必要となる。このことから、ユーザ自らがテンプルの取り替え作業をするのは困難である。
【０００４】
そこで、丁番構造のネジを緩めずにテンプルの取り替えが可能な構造として、例えば、テンプルの所望部位において、該テンプルの長手方向の軸心周りに着脱自在に螺合する連結機構部を設けた構造が提案されている（特許文献１参照）。
【特許文献１】実用新案第３０４７７３１号公報
【発明の開示】
【発明が解決しようとする課題】
【０００５】
しかしながら、前記特許文献１に記載されているようなテンプルに連結機構部を設けた構造においては、丁番構造自体はあくまで従来の構造と同様であり、ネジによりテンプルを開閉するために、該ネジに緩みが生じてしまうことがある。特に、テンプルを連結機構部で着脱する際に、該テンプルを長手方向の軸心周りに回転させるので、丁番構造のネジ部分に該軸心周りの曲げモーメントが作用し、このため該丁番構造のネジの緩みが生じ易い。また、場合によっては該丁番構造のネジに対して負荷がかかることで、ネジ山が潰れたりするといったことも考えられる。従って、テンプル自体の取り替え作業には手間がかからず、微妙な調整の必要がないものの、丁番構造のネジの締め直しや交換が必要となり、結局のところテンプルの取り替え作業に伴うユーザの負担は軽減されていない。
【０００６】
本発明は、斯かる従来技術の問題点を解決するべくなされたものであり、取り替え作業に伴うユーザの負担が少なく、ユーザ自らが手軽に取り替え可能なテンプルを具備する眼鏡フレームを提供することを課題とする。
【課題を解決するための手段】
【０００７】
前記課題を解決するべく、本発明は、基端部に円柱状の軸部材を具備するテンプルと、一端部が前記軸部材を回動自在に軸支し、他端部が前枠に取り付けられたコマ部材とを備え、前記コマ部材の前記一端部には、前記軸部材の軸線方向一方側を支持する第１要素と他方側を支持する第２要素とが設けられ、前記第１要素及び前記第２要素は、前記軸部材の外径に略等しい径で且つ互いに同芯の開口部をそれぞれ備え、前記第１要素及び前記第２要素のうち少なくとも一方は、前記開口部に通じ且つ前記開口部の周方向に沿う方向における前記テンプルの厚みに略等しい寸法の切り込み部を備えていることを特徴とする眼鏡フレームを提供するものである。
【０００８】
前記本発明にいう「軸部材」は円柱状のものであるが、これには周方向に沿ってネジ溝が形成されているようなネジ部材は含まない概念である。
【０００９】
本発明に係る眼鏡フレームでは、前記テンプルが前記前枠に取り付けられる際には、該テンプルの基端部に設けられた円柱状の軸部材が、前記コマ部材の一端部に備えられた前記第１要素及び前記第２要素の前記開口部に該第１及び第２要素のうちの前記切り込み部が備えられている要素側から該軸部材の外周面と該開口部の内周面とが互いに対向するように嵌入され、さらに前記テンプルが該要素の切り込み部に入れ込まれると共に前記第１及び第２要素間に嵌入されることで、前記軸部材が軸線周りに回動可能に軸線方向一方側で前記第１要素に他方側で前記第２要素に支持される。これにより、前記テンプルを前記軸部材の軸線周りに回動することができ、ひいては前記前枠の両端で開閉することができる。一方、前記テンプルが前記前枠から取り外される際には、前記軸部材が軸線周りに回動され、さらに前記テンプルが前記切り込み部に移行すると共に該切り込み部において軸線方向切り込み部側に移行し、該軸部材が前記開口部から取り外されることで、前記テンプルが前記前枠から取り外される。こうして本発明の眼鏡フレームにおいてテンプルが取り替えられるのである。
【００１０】
このように本発明に係る眼鏡フレームによれば、前記テンプルを前記コマ部材に対して嵌め外し自在に設けるので、工具等を用いることなくユーザが手軽に該テンプルの取り替えを行うことができ、また、従来のように丁番構造のネジによるテンプルの開閉機構を採用していないため、ネジの締め直しや交換等の作業がなく、テンプルの取り替え作業に伴うユーザの負担を少なくすることができる。
【００１１】
前記コマ部材は、前記前枠の両端部に設けられたヨロイ（智）に結合される支持部材であってもよいし、前記前枠の両端部に設けられたヨロイ（智）自身であってもよい。
【００１２】
本発明に係る眼鏡フレームにおいて、前記テンプルの開閉の際の該テンプルの制動性を良好にするという観点から、前記第１要素及び前記第２要素における前記開口部の径は、前記軸部材の外径より若干小さく（該テンプルが開閉の際に良好な動きになる程度に小さく）、或いは／さらに前記第１要素と前記第２要素との隙間は、前記軸部材の軸線方向における前記テンプルの厚みより若干小さく（該テンプルが開閉の際に良好な動きになる程度に小さく）することが好ましい。こうすることで、前記テンプルを良好な動きで開閉することができる。この場合、前記第１要素及び前記第２要素における前記開口部の径は、前記軸部材の出入口部側で該軸部材の径より大きくし、該軸部材の出入口部側から軸線方向に沿って次第に小さくなるようにしてもよいし、前記第１要素と前記第２要素との隙間は、前記テンプルの出入口部側で前記軸部材の軸線方向における該テンプルの厚みより大きくし、該テンプルの出入口部側から前記開口部の周方向に沿って次第に小さくするようにしてもよい。或いは／さらに、前記軸部材の外径を該軸部材が前記開口部に嵌入される際の該開口部に対向する側で小さくし、軸線方向に沿って次第に大きくなるようにしてもよいし、前記軸部材の軸線方向における前記テンプルの厚みを該テンプルが前記第１要素と前記第２要素との隙間に嵌入される際の該隙間に対向する側で小さくし、周方向に沿って次第大きくなるようにしてもよい。こうすることで、前記テンプルをスムーズに前記コマ部材に取り付けることができる。
【００１３】
また、本発明に係る眼鏡フレームとして、好ましくは、次の（ａ）から（ｃ）の態様を例示できる。
【００１４】
（ａ）前記第１要素及び前記第２要素のうちの前記切り込み部が備えられる要素において、前記切り込み部は、（ａ１）前記テンプルを閉じた状態の該テンプルの位置に対応する位置よりさらに閉じる方向側近傍位置に設けられているか、又は（ａ２）前記テンプルを開いた状態の該テンプルの位置に対応する位置よりさらに開く方向側近傍位置に設けられている態様。この態様では、前記テンプルの開閉時には該テンプルが前記切り込み部を通過することはない。一方、前記テンプルの取り替え時には、前記（ａ１）の場合、前記テンプルを閉じた状態からさらに閉じる方向に押し付けることで、また前記（ａ２）の場合、前記テンプルを開いた状態からさらに開く方向に押し広げることで、前記テンプルが前記切り込み部の位置に移行し、ここで該テンプルが嵌め外される。
【００１５】
（ｂ）前記第１要素及び前記第２要素のうちの前記切り込み部が備えられる要素は、揺動自在に前記切り込み部を開閉するシャッター部材と、前記切り込み部を閉じる方向に前記シャッター部材を付勢する付勢部材とをさらに備えている態様。この態様では、前記テンプルの開閉時には、前記シャッター部材が前記付勢部材の付勢力によって前記切り込み部を閉じた状態にされており、前記テンプルが、前記シャッター部材で閉じた状態の前記切り込み部を通過する。一方、前記テンプルの取り替え時には、ユーザが前記シャッター部材を前記付勢力に抗して周方向に移動させることで、前記切り込み部において前記シャッター部材が開いた状態に維持され、この状態で前記テンプルが該切り込み部の位置に移行すると、この切り込み部で該テンプルが嵌め外される。
【００１６】
（ｃ）着脱自在に前記切り込み部を閉じる閉塞部材であって、該切り込み部を覆うように前記第１要素及び前記第２要素のうちの該切り込み部が備えられる要素の外形に沿って嵌合可能に形成された可撓性を有する閉塞部材を備えている態様。この態様では、前記テンプルの開閉時には、前記閉塞部材が該要素の外形に沿って嵌着され、前記切り込み部を閉じた状態にすることで、前記テンプルが、前記閉塞部材にて閉じた状態の前記切り込み部を通過する。一方、前記テンプルの取り替え時には、前記切り込み部において前記閉塞部材が取り除かれ、前記テンプルが該切り込み部の位置に移行すると、この切り込み部で該テンプルが嵌め外される。
【００１７】
このように、前記（ａ）〜（ｃ）の眼鏡フレームのいずれの好ましい態様においても、前記テンプルの開閉の際に該テンプルが前記コマ部材から外れることを防止することができる。
【発明の効果】
【００１８】
以上説明したように本発明に係る眼鏡フレームによれば、取り替え作業に伴うユーザの負担が少なく、ユーザ自らが手軽に取り替え可能なテンプルを具備する眼鏡フレームを提供することができる。
【発明を実施するための最良の形態】
【００１９】
以下、添付図面を参照しつつ、本発明の一実施形態について説明する。図１は、本発明の第１から第３の実施形態に係る眼鏡フレーム１０〜１２の概略構成を示す斜視図である。図２は第１実施形態の眼鏡フレーム１０におけるコマ部材３ｘ，３ｙ部分を拡大した概略斜視図であり、また図３は、第１実施形態の眼鏡フレーム１０における一方のコマ部材３ｘからテンプル２を外した状態を示す拡大図であって、図３（ａ）はその概略平面図を、図３（ｂ）はその概略側面図を示している。図４は、第２実施形態の眼鏡フレーム１１における一方のコマ部材３ｘからテンプル２を外した状態を示す概略拡大平面図である。また図５は、第３実施形態の眼鏡フレーム１２における一方のコマ部材３ｘからテンプル２を外した状態を示す概略拡大平面図である。なお、図３から図５において、他方のコマ部材３ｙ部分は、一方のコマ部材３ｘ部分と実質的に同様の構成をしており、該一方のコマ部材３ｘ部分に代表させて示し、図３から図５中の符号３ｘ下方の括弧内において符号３ｙを記している。また、図１から図５において実質的に同じ構成、作用を有する部材には同じ参照符号を付してある。
【００２０】
（第１実施形態）
第１実施形態の眼鏡フレーム１０は、図１に示すように、レンズを保持する前枠１と、該前枠１の両端からそれぞれ後方に延出する一対のテンプル２と、前枠１の両端部に設けられたコマ部材３ｘ，３ｙとを具備するものである。
【００２１】
テンプル２は、図２及び図３に示すように、基端部２ａにおいて、軸線方向（図中Ｙ方向）が該テンプル２の長手方向（図中Ｘ方向）の軸心に対して垂直になるように一体的に設けられた円柱状の軸部材２ｂを有している。
【００２２】
コマ部材３ｘ，３ｙは、本例では、前枠１の両端部に設けられたヨロイ（智）１ｃに結合される支持部材であり、一端部３ａが軸部材２ｂを回動自在に軸支し、他端部３ｂが前枠１のヨロイ（智）１ｃに底部からビス５で締め付けられることで、該ヨロイ（智）１ｃに取り付けられている。なお、コマ部材３ｘ，３ｙは、前枠１の両端部に設けられたヨロイ（智）自身であってもよい。
【００２３】
さらに説明すると、コマ部材３ｘ，３ｙの一端部３ａには、軸部材２ｂの軸線方向Ｙ一方側（上側）を支持する第１要素３１と他方側（下側）を支持する第２要素３２とが設けられている。第１要素３１及び第２要素３２は、軸部材２ｂの外径に略等しい径で且つ互いに同芯の開口部３３をそれぞれ備えている。そして、第１要素３１及び第２要素３２のうち第１要素３１には、開口部３３に通じ且つ開口部３３の周方向（図中Ｚ方向）に沿う方向におけるテンプル２の厚みｄ１に略等しい寸法の切り込み部３４を備えている。
【００２４】
この第１実施形態の眼鏡フレーム１０では、図２及び図３に示すように、切り込み部３４が備えられる第１要素３１において、切り込み部３４は、テンプル２を閉じた状態の該テンプル２の位置Ｐに対応する位置Ｐ１よりさらに閉じる方向側近傍位置Ｐ２に設けられている。なお、このように切り込み部３４がテンプル２を閉じた状態の位置Ｐ１よりさらに閉じる方向側近傍位置Ｐ２に設けられていてもよいが、テンプル２を開いた状態の該テンプル２の位置に対応する位置よりさらに開く方向側近傍位置に設けられていてもよい。
【００２５】
（第２実施形態）
第２実施形態の眼鏡フレーム１１は、図１に示すように、レンズを保持する前枠１と、該前枠１の両端からそれぞれ後方に延出する一対のテンプル２と、前枠１の両端部に設けられたコマ部材３ｘ，３ｙとを具備するものである。
【００２６】
テンプル２は、図４に示すように、基端部２ａにおいて、軸線方向が該テンプル２の長手方向Ｘの軸心に対して垂直になるように一体的に設けられた円柱状の軸部材２ｂを有している。
【００２７】
コマ部材３ｘ，３ｙは、本例では、前枠１の両端部に設けられたヨロイ（智）１ｃに結合される支持部材であり、一端部３ａが軸部材２ｂを回動自在に軸支し、他端部３ｂが前枠１のヨロイ（智）１ｃに底部からビス５で締め付けられることで、該ヨロイ（智）１ｃに取り付けられている。
【００２８】
さらに説明すると、コマ部材３ｘ，３ｙの一端部３ａには、軸部材２ｂの軸線方向一方側（上側）を支持する第１要素３１と他方側（下側）を支持する第２要素３２とが設けられている。第１要素３１及び第２要素３２は、軸部材２ｂの外径に略等しい径で且つ互いに同芯の開口部３３をそれぞれ備えている。そして、第１要素３１及び第２要素３２のうち第１要素３１には、開口部３３に通じ且つ開口部３３の周方向Ｚに沿う方向におけるテンプル２の厚みｄ１に略等しい寸法の切り込み部３４を備えている。
【００２９】
この第２実施形態の眼鏡フレーム１１では、図４に示すように、切り込み部３４が備えられる第１要素３１は、側方に突起部３１ａを有する棒状のシャッター部材３１ｂ及び付勢部材としての巻きバネ３１ｃを備えている。この第１要素３１は、シャッター部材３１ｂ及び巻きバネ３１ｃを収容する収容部３１ｄを有している。収容部３１ｄは、突出孔３１ｆ及び係合孔３１ｇを有しており、シャッター部材３１ｂを内部に配設したときに該シャッター部材３１ｂの突出部３１ｅが突出孔３１ｆから周方向Ｚ（図中時計方向又は反時計方向）に沿って揺動自在に突出すると共に該シャッター部材３１ｂの突起部３１ａが係合孔３１ｇで係合するように構成されている。これにより、シャッター部材３１ｂによって切り込み部３４を開閉することができる。また、巻きバネ３１ｃは、収容部３１ｄに配設された状態でシャッター部材３１ｂの突出部３１ｅとは反対側から切り込み部３４を閉じる方向に該シャッター部材３１ｂに対して付勢力を付与するように構成されている。これにより、シャッター部材３１ｂは、通常は、切り込み部３４を閉じた状態にされており、ユーザが突起部３１ａを前記付勢力に抗して周方向Ｚに移動させることで、開放された状態に維持される一方、ユーザが突起部３１ａを離すと、閉じた状態に戻される。
【００３０】
（第３実施形態）
第３実施形態の眼鏡フレーム１２は、図１に示すように、レンズを保持する前枠１と、該前枠１の両端からそれぞれ後方に延出する一対のテンプル２と、前枠１の両端部に設けられたコマ部材３ｘ，３ｙとを具備するものである。
【００３１】
テンプル２は、図５に示すように、基端部２ａにおいて、軸線方向が該テンプル２の長手方向Ｘの軸心に対して垂直になるように一体的に設けられた円柱状の軸部材２ｂを有している。
【００３２】
コマ部材３ｘ，３ｙは、本例では、前枠１の両端部に設けられたヨロイ（智）１ｃに結合される支持部材であり、一端部３ａが軸部材２ｂを回動自在に軸支し、他端部３ｂが前枠１のヨロイ（智）１ｃに底部からビス５で締め付けられることで、該ヨロイ（智）１ｃに取り付けられている。
【００３３】
さらに説明すると、コマ部材３ｘ，３ｙの一端部３ａには、軸部材２ｂの軸線方向一方側（上側）を支持する第１要素３１と他方側（下側）を支持する第２要素３２とが設けられている。第１要素３１及び第２要素３２は、軸部材２ｂの外径に略等しい径で且つ互いに同芯の開口部３３をそれぞれ備えている。そして、第１要素３１及び第２要素３２のうち第１要素３１には、開口部３３に通じ且つ開口部３３の周方向Ｚに沿う方向におけるテンプル２の厚みｄ１に略等しい寸法の切り込み部３４を備えている。
【００３４】
この第３実施形態の眼鏡フレーム１２では、図５に示すように、切り込み部３４が備えられる第１要素３１は、軸部材２ｂを支持する部分の外形が平面視略円形状を呈している。そして、第１要素３１には閉塞部材３１ｈが取り付けられる。この閉塞部材３１ｈは、樹脂等の可撓性を有する部材で構成されており、切り込み部３４を覆うように第１要素３１の外形に沿って嵌合可能に形成されている。これにより、着脱自在に切り込み部３４を閉じることができる。
【００３５】
なお、コマ部材３ｘ，３ｙの上方からのテンプル２の取り替えが可能という観点から、第１から第３の実施形態のように、切り込み部３４が上側の第１要素３１に設けられていることが好ましいが、それに代えて或いはそれと共に第２要素３２に設けられていてもよい。また、第１要素３１及び第２要素３２における開口部３３の径Ｒ１は、軸部材２ｂの外径Ｒ２より該テンプル２が開閉の際に良好な動きになる程度に小さく、或いは／さらに第１要素３１と第２要素３２との隙間Ｈ１は、軸線方向Ｙにおけるテンプル２の厚みＨ２より該テンプル２が開閉の際に良好な動きになる程度に小さくしてある。こうすることで、テンプル２を良好な動きで開閉することができる。
【００３６】
また、第１要素３１及び第２要素３２における開口部３３の径Ｒ１は、軸部材２ｂの出入口部側Ｒ１ａで該軸部材２ｂの径Ｒ２より大きくし、該出入口部側Ｒ１ａから軸線方向Ｙに沿って次第に小さくなるようにし、第１要素３１と第２要素３２との隙間Ｈ１は、テンプル２の出入口部側Ｈ１ａで軸線方向Ｙにおける該テンプル２の厚みＨ２より大きくし、該出入口部側Ｈ１ａから周方向Ｚに沿って次第に小さくするようにしもよい。或いは／さらに、軸部材２ｂの外径Ｒ２を該軸部材２ｂが開口部３３に嵌入される際の該開口部３３に対向する側Ｒ２ａで小さくし、軸線方向Ｙに沿って次第に大きくなるようにしてもよいし、軸線方向Ｙにおけるテンプル２の厚みＨ２を該テンプル２が第１要素３１と第２要素３２との隙間Ｈ１に嵌入される際の該隙間Ｈ１に対向する側Ｈ２ａで小さくし、周方向Ｚに沿って次第大きくなるようにしてもよい。こうすることで、テンプル２をスムーズにコマ部材３ｘ，３ｙに取り付けることができる。
【００３７】
以上説明した第１から第３実施形態の眼鏡フレーム１０〜１２では、テンプル２が前枠１に取り付けられる際には、該テンプル２の基端部２ａに設けられた円柱状の軸部材２ｂが、コマ部材３ｘ，３ｙの一端部３ａに備えられた第１要素３１及び第２要素３２の開口部３３に切り込み部３４が備えられている第１要素３１側から該軸部材２ｂの外周面と該開口部３３の内周面とが互いに対向するように嵌入され、さらにテンプル２が該第１要素３１の切り込み部３４に入れ込まれると共に第１及び第２要素３１，３２間に嵌入されることで、軸部材２ｂが軸線周りに回動可能に軸線方向Ｙ一方側で第１要素３１に他方側で第２要素３２に支持される。これにより、テンプル２を軸部材２ｂの軸線周りに回動することができ、ひいては前枠１の両端で開閉することができる。一方、テンプル２が前枠１から取り外される際には、軸部材２ｂが軸線周りに回動され、さらにテンプル２が切り込み部３４に移行すると共に該切り込み部３４において軸線方向Ｙ切り込み部３４側に移行し、該軸部材２ｂが開口部３３から取り外されることで、テンプル２が前枠１から取り外される。こうして眼鏡フレーム１０〜１２においてテンプル２が取り替えられるのである。
【００３８】
このように眼鏡フレーム１０〜１２によれば、テンプル２をコマ部材３ｘ，３ｙに対して嵌め外し自在に設けるので、工具等を用いることなくユーザが手軽に該テンプル２の取り替えを行うことができ、また、従来のように丁番構造のネジによるテンプルの開閉機構を採用していないため、ネジの締め直しや交換等の作業がなく、テンプル２の取り替え作業に伴うユーザの負担を少なくすることができる。
【００３９】
また、第１実施形態の眼鏡フレーム１０では、図２及び図３に示すように、第１要素３１において、切り込み部３４がテンプル２を閉じた状態の該テンプル２の位置Ｐに対応する位置Ｐ１よりさらに閉じる方向側近傍位置Ｐ２に設けられており、テンプル２の開閉時には該テンプル２が切り込み部３４を通過することはなく、そして、テンプル２の取り替え時には、テンプル２を閉じた状態からさらに閉じる方向（図中Ｚ１方向）に押し付けることで、テンプル２がたわみつつ切り込み部３４の位置に移行し、ここで該テンプル２が嵌め外される。これにより、テンプル２の開閉の際に該テンプル２がコマ部材３ｘ，３ｙから外れることを防止することができる。
【００４０】
また、第２実施形態の眼鏡フレーム１１では、図４に示すように、第１要素３１が、揺動自在に切り込み部３４を開閉するシャッター部材３１ｂと、切り込み部３４を閉じる方向にシャッター部材３１ｂを付勢する巻きバネ３１ｃとを備えており、テンプル２の開閉時には、シャッター部材３１ｂが巻きバネ３１ｃの付勢力によって切り込み部３４を閉じた状態にされており、テンプル２が、シャッター部材３１ｂで閉じた状態の切り込み部３４を通過する一方、テンプル２の取り替え時には、ユーザが突起部３１ａを前記付勢力に抗して周方向Ｚに移動させることで、切り込み部３４においてシャッター部材３１ｂが開いた状態に維持され、この状態でテンプル２が該切り込み部３４の位置に移行すると、この切り込み部３４で該テンプル２が嵌め外される。これにより、テンプル２の開閉の際に該テンプル２がコマ部材３ｘ，３ｙから外れることを防止することができる。
【００４１】
また、第３実施形態の眼鏡フレーム１２では、図５に示すように、着脱自在に切り込み部３４を閉じる閉塞部材であって、切り込み部３４を覆うように第１要素３１の外形に沿って嵌合可能に形成された可撓性を有する閉塞部材３１ｈを備えており、テンプル２の開閉時には、閉塞部材３１ｈが該第１要素３１の外形に沿って嵌着され、切り込み部３４を閉じた状態にすることで、テンプル２が、閉塞部材３１ｈにて閉じた状態の切り込み部３４を通過する一方、テンプル２の取り替え時には、切り込み部３４において閉塞部材３１ｈが取り除かれ、テンプル２が該切り込み部３４の位置に移行すると、この切り込み部３４で該テンプル２が嵌め外される。これにより、テンプル２の開閉の際に該テンプル２がコマ部材３ｘ，３ｙから外れることを防止することができる。
【００４２】
このように眼鏡フレーム１０〜１２では、ユーザが手軽にテンプルを取り替えることができるのであるが、図６（ａ）に示すように、テンプルの厚みを大きくしてユーザの開閉動作等による外力に対して耐久性を向上させたテンプル２ｘに取り替えたり、図６（ｂ）に示すように、予め用意された各種の装飾されたテンプルの中からＴＰＯに併せて選択された好みのテンプル２ｙに取り替えることも簡単にできる。
【００４３】
また、スポーツ等の激しい運動を行う際に適用できるテンプル、例えば、図７及び図８に示すようなテンプル２ｚ，２ｚ’にも容易に取り替えることができる。
【００４４】
図７に示すテンプル２ｚは、耳の裏側に当接可能な耳当接部２３ａ及びテンプル本体の後部と該耳当接部２３ａとを揺動可能に取り付けるためのピン又はネジ等の軸部材７が取り付けられた揺動部２３ｂを有する耳当て部材２３と、テンプル本体の耳当て部材２３が取り付けられた部位２２ａより前方にある所定部２２ｂと耳当接部２３ａの前端部２３ｃとを連結する可撓性の絡み防止部材４とを具備している。
【００４５】
このテンプル２ｚが取り付けられた眼鏡フレームでは、前枠１に取り付けられた鼻当て用のパッド６（図１参照）を鼻に掛けるとともに、湾曲した耳当て部材２３の耳当接部２３ａを耳の裏側（耳と頭との間）の湾曲部に掛けることによって着用される。
【００４６】
この眼鏡フレームにおいては、眼鏡を掛けた状態で、前枠１がずれ落ちようとすると、前枠１から延出されたテンプル２ｚの後部はずれ上がろうとし、テンプル本体の後部に取り付けられた耳当て部材２３の耳当接部２３ａを上方へ移動させようとする。そして、耳当て部材２３の耳当接部２３ａが上方へ移動しようとすると、耳当て部材２３のテンプル本体に取り付けられる部位である揺動部２３ｂ（テンプル本体の耳当て部材２３が取り付けられる部位２２ａ）に挿通された軸部材７を中心として耳当接部２３ａは前回り方向（図７において左回り）へ回転しようとする。このとき、耳当接部２３ａの前端部２３ｃが耳の裏側を押圧する力が大きくなり、その結果、耳当接部２３ａと耳の裏側との相対的な移動が阻止され、テンプル２ｚの後部のずれ上がりが阻止される。このようにして、眼鏡のずれ落ちを防止することができる。
【００４７】
また、耳当接部２３ａの長手方向の略中間部に揺動部２３ｂが設けられるように構成されており、耳当て部材２３のテンプル本体に取り付けられる部位である揺動部２３ｂ及びテンプル本体の耳当て部材２３が取り付けられる部位２２ａには、揺動部２３ｂの揺動範囲を規制する規制機構８（図７（ｂ）参照）が設けられるように構成されるとともに、テンプル本体と耳当て部材２３の揺動部２３ｂとの取り付けには、ピン又はねじ等の軸部材７が用いられるように構成される。規制機構８は、図７（ｂ）に示すように、テンプル本体の耳当て部材が取り付けられる部位２２ａに設けられた当接面２８に耳当て部材２３の揺動部２３ｂの支持片３８が当接することにより揺動を規制する構成となっている。
【００４８】
このような規制機構８を設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材７を介して耳当て部材２３がテンプル本体の取り付け部位２２ａに取り付けられる構成であるため、力の損失が少なく、スムーズな揺動を容易かつ安価に達成することができる。また、軸部材７の軸回りに規制機構８を設けることにより、規制機構８を容易に構成することができる。なお、耳当て部材２３に取り付けられた揺動部２３ｂが軸部材７に揺動可能に取り付けられているが、耳当て部材２３自体（耳当接部２３ａ）に孔を開けて軸部材７を介して耳当て部材２３がテンプル本体に対して揺動可能に取り付けてもよい。また、テンプル本体の耳当て部材２３が取り付けられた部位２２ａは、テンプル２ｚの後端部であるように構成される。この場合、眼鏡フレームのテンプル２ｚと耳当て部材２３とが一体ではない構造を有しているにも関わらず、一般的な形状の眼鏡フレームを用いてきた使用者であっても違和感なく着用することができる。
【００４９】
また、図７に示すように、可撓性の絡み防止部材４がテンプル本体の耳当て部材２３が取り付けられた部位２２ａより前方にある所定部２２ｂと耳当て部材２３の耳当接部２３ａの前端部２３ｃとを連結するように取り付けられている。こうすることで、眼鏡を外す際に、テンプル２ｚを上方へ持ち上げた場合であっても、テンプル本体と耳当接部２３ａの前端部２３ｃとの間が絡み防止部材４で塞がれているため、髪の毛がｘ方向からテンプル本体と耳当接部２３ａとの取り付け部分（揺動部２３ｂ）に入り込みにくく、これに絡まることが抑制される。また、絡み防止部材４は、可撓性を有しているため、眼鏡フレームのずれ落ち抑制の機能を阻害することもない。このように、可撓性の絡み防止部材４によってテンプル本体の耳当て部材２３が取り付けられた部位２２ａより前方にある所定部２２ｂと耳当接部２３ａの前端部２３ｃとを連結することにより、鼻に掛かる負担を大きくすることなく眼鏡のずれ落ちを防止できるとともに、眼鏡を外す際に髪の毛の眼鏡への絡みを抑制することができる。
【００５０】
図８に示すテンプル２ｚ’は、眼鏡取り付け具３０を具備しているものである。この眼鏡取り付け具３０は、眼鏡フレームに着脱可能な眼鏡取り付け具であって、図１に示すようなテンプル２の後部２０ａに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材７が取り付けられた揺動部３０ｂとを具備するものである。また、クリップ部３０ｄと耳当接部３０ａとは、揺動部３０ｂにより、ピン又はねじ等の軸部材７を用いて揺動可能に取り付けられる。これにより、テンプル２と眼鏡取り付け具３０の耳当接部３０ａとは、揺動可能に取り付けられる。また、テンプル２が後方へなるにつれて分厚くなるような形状の場合は、クリップ部３０ｄの内径に所定の余裕を持たせてもクリップ部３０ｄがテンプル２の後端から抜け落ちることを防止することができる。
【００５１】
また、図８に示すように、一端が耳当接部３０ａの前端部３０ｃに連結され、他端がテンプル２のクリップ部３０ｄが取り付けられた部位２０ａより前方にある所定部２０ｂに着脱可能な可撓性の絡み防止部材４をさらに具備するように構成されている。この可撓性の絡み防止部材４によってテンプル２のクリップ部３０ｄが取り付けられた部位２０ａより前方にある所定部２０ｂと眼鏡取り付け具３０の耳当接部３０ａの前端部３０ｃとを連結することにより、鼻に掛かる負担を大きくすることなく眼鏡のずれ落ちを防止できるとともに、眼鏡を外す際に髪の毛の眼鏡への絡みを抑制することができる。さらに、絡み防止部材４の他端をテンプル２に着脱可能に取り付けるための構成として、図８（ａ）に示すような、可撓性部材で形成されたクリップ部４ａを用いている。
【図面の簡単な説明】
【００５２】
【図１】図１は、本発明の第１から第３の実施形態に係る眼鏡フレームの概略構成を示す斜視図である。
【図２】図２は、第１実施形態の眼鏡フレームにおけるコマ部材部分を拡大した概略斜視図である。
【図３】図３は、第１実施形態の眼鏡フレームにおける一方のコマ部材からテンプルを外した状態を示す拡大図であり、図３（ａ）はその概略平面図を、図３（ｂ）はその概略側面図を示している。
【図４】図４は、第２実施形態の眼鏡フレームにおける一方のコマ部材からテンプルを外した状態を示す概略拡大平面図である。
【図５】図５は、第３実施形態の眼鏡フレームにおける一方のコマ部材からテンプルを外した状態を示す概略拡大平面図である。
【図６】図６は、図１から図５に示す眼鏡フレームに適用できるテンプルの例を示す概略側面図であり、図６（ａ）はテンプルの厚みを大きくしてユーザの開閉動作等による外力に対して耐久性を向上させたものを、図６（ｂ）は予め用意された各種の装飾されたテンプルの中からＴＰＯに併せて選択されたものを示している。
【図７】図７は、図１から図５に示す眼鏡フレームに適用できるテンプルのさらに他の例を示す概略側面図であり、図７（ａ）は耳当て部材を備えた眼鏡フレームの概略側面図を、図７（ｂ）は該眼鏡フレームにおけるテンプルと耳当て部材との取り付け部付近の概略拡大図を示している。
【図８】図８は、図７に示すテンプルの変形例を示す概略側面図であり、図８（ａ）は眼鏡取り付け具を、図８（ｂ）はそれを装着した眼鏡フレームを示している。
【符号の説明】
【００５３】
１…前枠  ２…テンプル  ２ａ…基端部  ２ｂ…軸部材  ３ｘ，３ｙ…コマ部材  
３ａ…コマ部材の一端部  ３ｂ…コマ部材の他端部  １０〜１２…眼鏡フレーム  
３１…第１要素  ３１ｂ…シャッター部材  ３１ｃ…付勢部材  ３１ｈ…閉塞部材  
３２…第２要素  ３３…開口部  ３４…切り込み部  Ｙ…軸部材の軸線方向  
Ｚ…開口部の周方向  
【図１】
2006058762.tif 000003
【図２】
2006058762.tif 000004
【図３】
2006058762.tif 000005
【図４】
2006058762.tif 000006
【図５】
2006058762.tif 000007
【図６】
2006058762.tif 000008
【図７】
2006058762.tif 000009
【図８】
2006058762.tif 000010